【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
第１指示体が発した第１の光と、第２指示体が発した第２の光と、対象範囲と、を撮像した撮像データを生成する撮像部と、
前記撮像データに基づいて、前記対象範囲に対する前記第１指示体の第１の位置と、前記対象範囲に対する前記第２指示体の第２の位置と、を識別して検出する位置検出部と、を備え、
前記撮像部は、第１の色光、第２の色光及び第３の色光の検出値を出力するセンサーを備え、前記センサーによって前記第１の光に含まれる第１の赤外光及び第１の波長の光と、前記第２の光に含まれる第２の赤外光及び前記第１の波長とは異なる第２の波長の光と、を検出する、位置検出装置。
【請求項２】
前記センサーは、複数の検出画素を備えるイメージセンサーで構成され、前記撮像部は複数の前記検出画素のそれぞれに対応する第１の色光、第２の色光及び第３の色光の検出値を含む前記撮像データを出力し、
前記位置検出部は、各々前記検出画素に対応する１の検出値を含む１の前記撮像データから前記第１の位置および前記第２の位置を検出する、請求項１記載の位置検出装置。
【請求項３】
前記センサーは、前記第１の波長における第１の色光と第２の色光と第３の色光との相対感度が、前記第２の波長における前記第１の色光と前記第２の色光と前記第３の色光との相対感度と一致しない感度特性を有する、請求項１または２記載の位置検出装置。
【請求項４】
前記第１の波長は前記第２の波長より長く、
前記撮像部は、前記第１の赤外光の波長と前記第１の波長の間の少なくとも一部の波長域の光をカットする光学フィルターを備え、前記センサーは前記光学フィルターを透過した光を検出する、請求項１から３のいずれか１項に記載の位置検出装置。
【請求項５】
前記センサーは、
前記第１の赤外光の波長において、前記第１の色光の相対感度が、前記第２の色光および前記第３の色光のいずれの相対感度よりも高く、かつ、
前記光学フィルターによりカットされた波長において、前記第１の色光の相対感度が、前記第２の色光および前記第３の色光のいずれの相対感度よりも高い感度特性を有する、請求項４記載の位置検出装置。
【請求項６】
前記光学フィルターは、前記第１の赤外光の波長よりも長い波長の光、又は紫外線領域の光をカットする、請求項４または５に記載の位置検出装置。
【請求項７】
前記第１の赤外光の波長域と前記第２の赤外光の波長域は同じ波長を含む、請求項１から６のいずれか１項に記載の位置検出装置。
【請求項８】
前記第１の光に含まれる前記第１の波長の光、及び、前記第２の光に含まれる前記第２の波長の光は、可視領域の光である、請求項１から７のいずれか１項に記載の位置検出装置。
【請求項９】
画像データに基づいた画像を表示面に表示する画像表示部を備えた表示装置と、前記表示面における位置指示操作に用いられる第１指示体および第２指示体と、を有する表示システムであって、
前記第１指示体は第１の光を発し、
前記第２指示体は第２の光を発し、
前記表示装置は、
前記第１指示体が発した第１の光と、前記第２指示体が発した第２の光と、前記表示面の少なくとも一部と、を撮像した撮像データを生成する撮像部と、
前記撮像データに基づいて、前記第１指示体の前記表示面に対する第１の位置と、前記第２指示体の前記表示面に対する第２の位置と、を識別して検出する位置検出部と、
前記第１の位置に応じた第１の処理と、前記第２の位置に応じた第２の処理を行う処理部と、を備え、
前記撮像部は、第１の色光、第２の色光及び第３の色光の検出値を出力する光センサーを備え、前記光センサーによって前記第１の光に含まれる第１の赤外光及び第１の波長の光と、前記第２の光に含まれる第２の赤外光及び前記第１の波長とは異なる第２の波長の光と、を検出する、表示システム。
【請求項１０】
前記第１指示体は可視領域の前記第１の波長の光を発する光源を備え、前記第２指示体は可視領域の前記第２の波長の光を発する光源を備える、請求項９記載の表示システム。
【請求項１１】
第１指示体が発した第１の光と、第２指示体が発した第２の光と、対象範囲と、を撮像した撮像データを生成し、
前記撮像データに基づいて、前記対象範囲に対する前記第１指示体の第１の位置と、前記対象範囲に対する前記第２指示体の第２の位置と、を識別して検出することを含み、
第１の色光、第２の色光及び第３の色光の検出値を出力するセンサーを備え、前記センサーによって前記第１の光に含まれる第１の赤外光及び第１の波長の光と、前記第２の光に含まれる第２の赤外光及び前記第１の波長とは異なる第２の波長の光と、を検出する撮像部を用いて前記撮像データを生成する、位置検出方法。
【手続補正２】
【補正対象書類名】明細書
【補正対象項目名】発明の名称
【補正方法】変更
【補正の内容】
【発明の名称】位置検出装置、表示システム、及び、位置検出方法
【手続補正３】
【補正対象書類名】明細書
【補正対象項目名】０００１
【補正方法】変更
【補正の内容】
【０００１】
本発明は、位置検出装置、表示システム、及び、位置検出方法に関する。
【手続補正４】
【補正対象書類名】明細書
【補正対象項目名】００１２
【補正方法】変更
【補正の内容】
【００１２】
上記位置検出装置において、前記第１の赤外光の波長域と前記第２の赤外光の波長域は同じ波長を含む構成であってもよい。
【手続補正５】
【補正対象書類名】明細書
【補正対象項目名】００１８
【補正方法】変更
【補正の内容】
【００１８】
上記表示システムにおいて、前記第１指示体は可視領域の前記第１の波長の光を発する光源を備え、前記第２指示体は可視領域の前記第２の波長の光を発する光源を備える構成であってもよい。
【手続補正６】
【補正対象書類名】明細書
【補正対象項目名】００３３
【補正方法】変更
【補正の内容】
【００３３】
第２指示体７は、第２可視光源７３、第２赤外光源７４、第２発光制御部７５、及び、第２スイッチ７６を備える。第２指示体７は、第２指示体７の他各部に電力を供給する第２電源７７を備える。第２可視光源７３及び第２赤外光源７４は第２指示体７の光源に相当し、第２発光制御部７５は発光制御部に相当し、第２スイッチ７６は操作センサーに相当する。
【手続補正７】
【補正対象書類名】明細書
【補正対象項目名】００５３
【補正方法】変更
【補正の内容】
【００５３】
画像処理部４２は、インターフェイス４１に入力された画像データを処理する。画像処理部４２には、フレームメモリー４３が接続される。画像処理部４２は、投射制御部１２の制御に従って、投射部２０により投射する画像の画像データを処理する。画像処理部４２は、フレームメモリー４３の領域の一部のみの数ライン分〜数十ライン分ずつ処理を行うこととし、フレームメモリー４３を画面全体のフレームメモリーとしないでもよい。
【手続補正８】
【補正対象書類名】明細書
【補正対象項目名】００６２
【補正方法】変更
【補正の内容】
【００６２】
赤色用フィルター３４Ｒは、受光素子３３により赤色の光を検出させるため、赤色光以外の波長の光を減衰、或いは遮光するフィルターである。赤色用フィルター３４Ｒに重なる受光素子３３は赤色光を受光して検出する。
また、青色用フィルター３４Ｂは、受光素子３３により青色の光を検出させるため、青色光以外の波長の光を減衰、或いは遮光するフィルターである。青色用フィルター３４Ｂに重なる受光素子３３は、青色光を受光して検出する。
緑色用フィルター３４Ｇは、受光素子３３により緑色の光を検出させるため、緑色光以外の波長の光を減衰、或いは遮光するフィルターである。緑色用フィルター３４Ｇに重なる受光素子３３は、緑色光を受光して検出する。
このように、イメージセンサー３２は、カラーフィルターアレイ３４を利用して、受光素子３３によって赤色、青色、緑色を検出し、検出値を出力する。
【手続補正９】
【補正対象書類名】明細書
【補正対象項目名】００６３
【補正方法】変更
【補正の内容】
【００６３】
カラーフィルターアレイ３４における赤色用フィルター３４Ｒ、青色用フィルター３４Ｂ、及び緑色用フィルター３４Ｇの配置は任意であり、例えば、ベイヤー配置（Ｂａｙｅｒ  Ａｒｒａｎｇｅｍｅｎｔ）に従って配置される。この場合、カラーフィルターアレイ３４は、ｘ方向において赤色用フィルター３４Ｒと緑色用フィルター３４Ｇとが交互に配列した行と、青色用フィルター３４Ｂと緑色用フィルター３４Ｇとが交互に配列した行とを含み、これらの行がｙ方向に交互に配置される。この例では、人間の視覚特性が緑色の輝度に敏感であることに対応して、緑色用フィルター３４Ｇが、赤色用フィルター３４Ｒ及び青色用フィルター３４Ｂより高密度に配置される。